(57)【要約】【課題】  折り畳んで１本にすることができる脚立において、開いて自立させ、使用状態にしたときの左右の揺れを確実に止めることができる脚立を提供する。【解決手段】  複数の踏み板１２１，１２２，１２３を両側の脚柱１１１，１１２に回動自在に取り付けた２つの梯子体１１０，１１０を、一端で回動自在に結合した脚立１００において、１の脚柱又は踏み板に筋交１４０の一端を回動自在に取り付け、対向する脚柱に昇降部材１５０を設け、前記筋交１４０の他端部が前記昇降部材１５０の上方で脚柱１１２に当接し、当接した他端部を前記昇降部材で押し上げて他端部を脚柱１１２に圧接させ、該圧接した状態の昇降部材１５０の位置を保持するロック部材としてナット１５３を設けた。【選択図】      図３
2008063917.tif 000002
【特許請求の範囲】
【請求項１】
複数の踏み板を両側の脚柱に回動自在に取り付けた２つの梯子体を、一端で回動自在に結合した脚立において、１の脚柱又は踏み板に一端を回動自在に取り付け、他端が対向する脚柱に当接可能な筋交と、該当接する脚柱に設けられた昇降部材と、該昇降部材の上昇位置又は下降位置を保持するロック部材を設け、前記筋交の他端部が前記対向する脚柱に当接したとき、当接した他端部を前記昇降部材で押し上げ、又は押し下げて他端部を脚柱に圧接させ、該圧接した状態を前記ロック部材で保持することを特徴とする脚立。
【請求項２】
前記筋交が前記踏み板より長く、相対向する一方の脚柱に一端を回動自在に係止されたことを特徴とする請求項１記載の脚立。
【請求項３】
前記昇降部材が、前記脚柱に沿って設けられた雄ネジ軸を有し、該雄ネジ軸が、脚立の頂部から外部に突出しており、前記ロック部材が雄ネジ軸の突出した部分に螺合するナットであることを特徴とする請求項１又は２記載の脚立。
【請求項４】
前記昇降部材が、前記脚柱に沿って延びるワイヤーを有し、該ワイヤーが、脚立の頂部から外部に突出しており、前記ロック部材がワイヤーに設けられたストッパであることを特徴とする請求項１又は２記載の脚立。
【請求項５】
前記脚柱と踏み板とが踏み板の長さ方向にスライド可能に結合され、スライド可能な長さが、最上の踏み板では０で、下の踏み板ほど長くなっていることを特徴とする請求項１から４のいずれかに記載の脚立。
【請求項６】
前記複数の踏み板が、下の踏み板ほど長くなっており、踏み板と少なくとも一方の脚柱との結合が、脚柱の長さ方向にスライド可能であることを特徴とする請求項１から４のいずれかに記載の脚立。
【請求項７】
一端を前記踏み板に回動自在に軸支され、他端が前記脚柱に形成されたスライド溝内を摺動自在に設けられた回転ストッパを設け、該回転ストッパが前記スライド溝の一端で停止することで、前記踏み板が、前記脚柱に軸支された端部を中心に行う回転を、踏み板が脚柱とほぼ直角になった位置で停止させることを特徴とする請求項１から６のいずれかに記載の脚立。
【発明の詳細な説明】
【技術分野】
【０００１】
本発明は、脚立に関し、特に、人が脚立に乗って動いても安定して揺れず、室内においても車内や車のトランクに入れても邪魔にならないように、折畳めば１本の棒状になり嵩張らない脚立に関するものである。
【背景技術】
【０００２】
特許文献１には、２本のコの字型の支持脚に、３本の踏み板を両側が回動自在になるように取り付けた２つの梯子体を、一端で回動自在に結合した脚立が記載されている。このような脚立は、折り畳んで１本にすることができるので、持ち運びや収納に便利である。
【０００３】
また、特許文献２には、踏み板の中央が折り曲げ自在になっている脚立が記載されている。この脚立は、折り畳んだときの長さを、特許文献１の脚立と比べて短くすることができる。
【０００４】
しかしながら、これらの文献に記載された脚立は、踏み板の両端が回動自在な構造のために、簡単な回り止めを支持脚に設けており、脚立として自立させたとき、倒れないようにしているが、左又は右に揺れ易く、安定性に欠けていた。
【０００５】
そこで、特許文献３では、踏み板ストッパを設けて、左右の揺れを防止するようにしている。この踏み板ストッパは、一端を梯子体の一方の脚に回動自在に取り付け、他方を、踏み板に立設された結合ピンと係合している。脚立を折り畳めるようにしているために、結合ピンとの係合部は、長孔となっていて、長孔の先端がＬ型に折れ、脚立として使用するときには、結合ピンがこの長孔の折れた部分に入ることで、ストッパとして働くようになっている。このようにすることで、脚立の左右の揺れをある程度は止めることができる。
【特許文献１】特開２００１−３４９１６２号
【特許文献２】特開２０００−３０３７６５号
【特許文献３】実開昭６１−１４４１９９号
【発明の開示】
【発明が解決しようとする課題】
【０００６】
しかし、特許文献３に記載の踏み板ストッパでは、結合ピンが長孔と係合しているので、結合ピンは長孔内を移動できる。又は、結合ピンと長孔の幅とを比較すると長孔の幅の方が大きいので、ガタツキがあり、脚立の左右揺れを完全に止めることはできない。
【０００７】
本発明は、このような事実に基づいたもので、折り畳んで１本にすることができる脚立において、開いて自立させ、使用状態にしたときの左右の揺れを確実に止めることができる脚立を提供することを目的としている。
【課題を解決するための手段】
【０００８】
上記の目的を達成するために本発明の脚立は、複数の踏み板を両側の脚柱に回動自在に取り付けた２つの梯子体を、一端で回動自在に結合した脚立において、１の脚柱又は踏み板に一端を回動自在に取り付け、他端が対向する脚柱に当接可能な筋交と、該当接する脚柱に設けられた昇降部材と、該昇降部材の上昇位置又は下降位置を保持するロック部材を設け、前記筋交の他端部が前記対向する脚柱に当接したとき、当接した他端部を前記昇降部材で押し上げ、又は押し下げて他端部を脚柱に圧接させ、該圧接した状態を前記ロック部材で保持することを特徴としている。
【０００９】
前記筋交が前記踏み板より長く、相対向する一方の脚柱に一端を回動自在に係止された構成としたり、前記昇降部材が、前記脚柱に沿って設けられた雄ネジ軸を有し、該雄ネジ軸が、脚立の頂部から外部に突出しており、前記ロック部材が雄ネジ軸の突出した部分に螺合するナットである構成としたり、前記昇降部材が、前記脚柱に沿って延びるワイヤーを有し、該ワイヤーが、脚立の頂部から外部に突出しており、前記ロック部材がワイヤーに設けられたストッパである構成としたり、前記脚柱と踏み板とが踏み板の長さ方向にスライド可能に結合され、スライド可能な長さが、最上の踏み板では０で、下の踏み板ほど長くなっている構成としたり、前記複数の踏み板が、下の踏み板ほど長くなっており、踏み板と少なくとも一方の脚柱との結合が、脚柱の長さ方向にスライド可能である構成としたり、一端を前記踏み板に回動自在に軸支され、他端が前記脚柱に形成されたスライド溝内を摺動自在に設けられた回転ストッパを設け、該回転ストッパが前記スライド溝の一端で停止することで、前記踏み板が、前記脚柱に軸支された端部を中心に行う回転を、踏み板が脚柱とほぼ直角になった位置で停止させる構成としたりすることができる。
【発明の効果】
【００１０】
本発明の脚立は、踏み板の両端が脚柱に回動自在に取り付けられているので、脚立を折り畳んで１本にまとめることができ、収容スペースを減らし、持ち運びを容易にすることができる。脚柱１１１，１１２を１／４の円弧にすると、脚立全体で、丸い１本の棒状になる。
【００１１】
また、使用するときは、まず、一端で回動自在に結合した梯子体を開き、脚立を自立した状態にする。次に、昇降部材を上げた状態、又は、下げた状態にして、筋交を手で持って、先端が対向する脚柱に当接する状態に保持する。昇降部材を上昇・又は下降させ、筋交の先端を上方又は下方に押し、筋交の先端を脚柱に圧接させる。この状態をロック部材で保持する。こうして筋交の先端が対向する脚柱に圧接すると、複数ある踏み板のどこに人が乗っても、脚立は左右に揺れることがなくなり、安定した状態となる。
【００１２】
筋交を踏み板より長くし、一方の脚注から他方の脚注に掛けて架設すると、安定度がさらに上がる。昇降部材に雄ネジ軸を使用し、ロック部材としてナットを使用すると、筋交の先端を脚注に強力に圧接させることができ、脚立のガタツキを完全に無くすことができる。
【００１３】
昇降部材にワイヤーを使用し、ロック部材としてストッパを使用すると、簡単に筋交をロックすることができる。
【００１４】
前記脚柱と踏み板とが踏み板の長さ方向にスライド可能に結合され、スライド可能な長さが、最上の踏み板では０で、下の踏み板ほど長くなっている構成とすると、脚立として拡げたとき、梯子体の下方を上方より広く拡げることができ、安定した脚立となる。
【発明を実施するための最良の形態】
【００１５】
以下、本発明の実施の形態を添付図面を参照して説明する。
【００１６】
図１は、本発明の脚立の第１実施例の斜視図で、図２は折り畳んだ状態を示す図で、（ａ）は正面図、（ｂ）は側面図である。本発明の脚立１００は、２つの梯子体１１０，１１０を上端で回動自在に結合したものである。梯子体１１０は、断面がコ字型の左右の脚柱１１１，１１２と、これらの間に架設された踏み板１２１，１２２，１２３を有する。各踏み板１２１，１２２，１２３は、両端を脚柱１１１，１１２にピン１２５で回動自在に止められている。
【００１７】
図２の状態から図１の状態に開いて踏み板１２１，１２２，１２３が脚柱１１１に対して直角になったとき、踏み板１２１，１２２，１２３と脚柱１１１との角度が９０゜以下にならないように踏み板の回転を止める回転ストッパ１２６が設けられている。回転ストッパ１２６は、踏み板１２１，１２２，１２３が、脚柱１１１に軸支された端部を中心に行う回転を、踏み板と脚柱がほぼ直角になった位置で停止させるものであれば、どのようなものでもよい。また、回転ストッパ１２６を取り付ける位置によって、踏み板と脚柱との角度が９０゜より小さくならないようにするものと、大きくならないようにするものとの双方がある。図１に示す回転ストッパ１２６は、小さくならないようにする方の一例であり、かつ、梯子体１１０を開くと自動的に図示の作動する位置に出てくるものであるが、その詳細な構成については、図１１において後述する。
【００１８】
２つの梯子体１１０，１１０は、頂部を軸１３０で回動自在に結合され、開脚保持具１３５のフックの先端を係止環１３６に挿入することで、開いた状態を保持することができる。
【００１９】
しかし、この状態では、脚立１００は、図１の左方向には回転ストッパ１２６があるので倒れないが、右方向には倒れてしまう。そこで、この倒れを防止するために、筋交１４０を設けている。筋交１４０は、板状のもので、１端を脚柱１１１の上端にピンで回動自在に係止し、他端の先端を対向する脚柱１１２に当接させている。
【００２０】
図３及び図４は筋交１４０とその周辺部分を示す図で、図３は筋交１４０を固定した状態を示す図で、図４は、筋交１４０が回動自在な状態を示す図である。筋交１４０はその一端が脚柱１１１の踏み板１２３の近傍に回動自在に固定され、筋交１４０の先端は、対向する脚柱１１２の踏み板１２３からかなり下方に離れた位置に当接可能な長さとなっている。また、筋交１４０の先端が当接する方の脚柱１１２には、昇降部材１５０が設けられている。昇降部材１５０は、丸棒状のシャフトの下端にブロック１５１を有し、丸棒の上部は雄ネジ１５２軸となっている。雄ネジ軸１５２は、脚柱１１２の上端に穿設された通し孔を突き抜けて脚立１００の上部に突出しており、突出部には、ロック部材としてのナット１５３が螺合している。ナット１５３は、昇降部材１５０の上昇方向の移動は許容するが、下降方向の移動は阻止する構成である。
【００２１】
ナット１５３を緩めると、昇降部材１５０は下方に下がり、ブロック１５１が図４の位置になると、筋交１４０は、図４に示す矢印の双方向に回動自在な状態となる。そこで、筋交１４０を回動してその先端が脚柱１１２に当接する位置にし、手で押さえるなどしてその状態を保持する。そして、ナット１５３を締める方向に回す。すると、図４の状態から昇降部材１５０が上昇し、ブロック１５１が筋交１４０の先端を持ち上げる。筋交１４０は、脚柱１１１，１１２間の長さより長いので、ブロック１５１は、筋交１４０の先端が図３に示すように、脚柱１１２に圧接した状態で上昇が停止する。このとき、ナット１５３は、強く締め付けられた状態となり、緩むことはない。したがって、ナット１５３がロック部材となって、筋交１４０の先端が脚柱１１２に圧接した状態にロックされることになる。
【００２２】
このような状態になると、筋交１４０はガタツキが全くない状態になり、脚立１００の踏み板１２１，１２２，１２３のいずれに人が乗っても、脚立１００は、図１の左右いずれの方向にも揺れることがなくなり、安定して使用できるようになる。なお、筋交１４０の先端が脚柱１１２に圧接する状態には、直接圧接する場合は勿論、仲介物を介して圧接する状態も含まれるものとする。
【００２３】
脚立１００を畳む場合は、次のようにする。まず、図３の状態からナット１５３を緩めて図４の状態にし、筋交１４０を仮想線に示す脚柱１１２に圧接した位置から外して図４の実線に示す位置にする。次に、図１に示す開脚保持具１３５のフックの先端を係止環１３６から抜き取ると、脚立１００を構成する２つの梯子体１１０，１１０を折り畳んで重ねることができる。２つの梯子体１１０，１１０を重ねた後、２本の脚柱１１２を上方に持ち上げると、図２に示すようになり、２本の脚柱１１１，１１１と、２本の脚柱１１２，１１２とは１本に纏まる。このように折り畳むことで、持ち運びが簡単にできるようになる。
【００２４】
本発明の脚立は、組立が非常に簡単にかつ、短時間ででき、しかも、ぐらつくことなく、安定して使用することができる。ナット１５３は、蝶ネジにすることで、人手でも十分締め付けることが可能になる。また、筋交１４０を脚柱１１２側にも設け、２本の筋交１４０が交差する方向に配置すれば、回転ストッパ１２６は不要となる。
【００２５】
図５は、本発明における第２実施例の筋交とその周辺を示す図である。第１実施例と大部分で共通しており、相違する部分は、昇降部材２５０の部分である。この実施例では、昇降部材２５０の下端のブロック２５１に、丸棒と雄ネジに代えてワイヤー２５２を接続した構成となっている。ワイヤー２５２は、脚柱１１２の上端の通し孔を突き抜けて脚立１００の上部に延びている。そして脚立１００から突出した部分に、ロック部材としてのストッパ２５３が挿通されている。ストッパ２５３は、ワイヤー２５２に対して矢印ａ方向には移動できないが、ｂ方向には移動ができる構成になっている。
【００２６】
図６は、ストッパ２５３の構成例を示す縦断面図である。ストッパ２５３は、円筒形の外筒２５３ａの内部に、鍔付きの筒体２５３ｂを有している。筒体２５３ｂには、筒の内外を連通する複数の貫通孔があり、各貫通孔に１つずつのボール２５３ｃが筒体２５３ｂの内外に出入り自由な状態で遊嵌されている。外筒２５３ａのボール２５３ｃと接触する面は、テーパー面となっている。外筒２５３ａの広い方の開口には、栓２５３ｄが取り付けられ、この栓２５３ｄと筒体２５３ｂの鍔との間には、コイルスプリング２５３ｅが入れられている。外筒２５３ａの細い開口側には、解除環２５３ｆが挿入されている。ストッパ２５３全体をワイヤー２５２が貫通している。
【００２７】
コイルスプリング２５３ｅは、常時、筒体２５３ｂを図６の下方に向けて押圧している。そのため、ボール２５３ｃはテーパ面の狭くなる方に押圧されるので、ボール２５３ｃはストッパ２５３の内側に向かって押しつけられ、ワイヤー２５２に圧接する。ストッパ２５３を図６の矢印ａ方向に動かそうとすると、ボール２５３ｃはさらにテーパ面の狭くなる方に押圧されるので、ボール２５３ｃがワイヤー２５２を押圧する力が増加し、ストッパ２５３はブレーキが掛かった状態になりａ方向には移動することができない。逆に、ｂ方向に移動すると、ボール２５３ｃはテーパ面の広くなる方に押圧されるので、ボール２５３ｃがワイヤー２５２から離れ、ブレーキが解除された状態となり、簡単に移動できる。
【００２８】
ストッパ２５３にブレーキが掛かった状態のとき、解除環２５３ｆを矢印ａ方向に押し込むと、筒体２５３ｂは図６の上方に移動し、ボール２５３ｃがワイヤー２５２から離れるので、ブレーキが解除され、ａ方向に移動できるようになる。解除環２５３ｆに加えている力を除くと、また、図６の状態に戻り、ｂ方向には自由に移動できるが、ａ方向には移動できない状態となる。
【００２９】
筋交１４０をロックするには、以下のように行う。まず、図１に示すように、梯子体１１０を開いて開脚保持具１３５のフックの先端を係止環１３６に挿入して開いた状態を保持する。次に、昇降部材２５０のブロック２５１を下方に下げて、筋交１４０の先端がブロック２５１の上方で脚柱１１２に当接するようにして手でこの状態を保持する。このとき、必要に応じてストッパ２５３を移動しておく。そして、ワイヤー２５２を図５の上方に引き上げ、筋交１４０の先端が脚柱１１２に圧接した状態にする。筋交１４０の先端が脚柱１１２に圧接したら、ストッパ２５３をｂ方向に押し下げ脚柱１１２の頂部に接触するようにする。この状態でストッパ２５３から手を離しても、ストッパ２５３はブレーキが掛かった状態になり、ａ方向には移動できないので、筋交１４０がロックされた状態となる。筋交１４０がロックされると、脚立１００は図１の左右方向に揺れることができなくなり、安定して使用できるようになる。
【００３０】
図７は、本発明における第３実施例の筋交とその周辺を示す図である。この実施例では、筋交１４１の一端を、脚柱１１１ではなく踏み板１２３に係止したことに特徴がある。この構成にすれば、筋交１４１を短くすることができる。
【００３１】
図８は、本発明における第４実施例の筋交とその周辺を示す図である。この実施例の昇降部材１６０は、ブロック１６１とこのブロック１６１に回動自在に結合した雄ネジ軸１６２と、雄ネジ軸１６２の中間に螺合されたナット１６３から構成されている。そして、筋交１４２を脚柱１１１の下方に回動自在に取り付け、筋交１４２の先端が昇降部材１６０のブロック１６１の下方に位置するようになっている。そして、ナット１６３を固定して雄ネジ軸１６２ををブロック１６１が下降する方向に回転すると、筋交１４２の先端は下方に押し下げられ、先端が脚柱１１２に圧接する。雄ネジ軸１６２を回転させるため、雄ネジ軸１６２の頂部に六角の頭部１６２ａを固定するとよい。適切な圧接状態になったら、ナット１６３を締め付けてロックする。こうして筋交１４２の先端が脚注に圧接すると、脚立は左右に揺れることがなくなり、安定した状態となる。
【００３２】
図９は、本発明の第５実施例の脚立の正面図である。この実施例では、踏み板２２１，２２２の両端に長孔２２１ａ，２２２ａを形成し、ピン１２５で回動自在に連結したものである。ピン１２５が長孔２２１ａ，２２２ａを移動することで、踏み板２２１，２２２と脚柱１１１，１１２とがスライド可能となる。最上部の踏み板１２３の両側のピン１２５が入る孔は、長孔ではない。また、長孔２２１ａ，２２２ａは、下の長孔になるほど長くなっている。このような構成なので、脚立として使用する場合、図９の仮想線に示すように、梯子体１１０の両側の脚柱１１１，１１２の下方を拡げることができ、より安定した脚立とすることができる。
【００３３】
尚、踏み板と脚柱とのスライド構造は、図９に示す長孔以外にも、踏み板２２１，２２２を伸縮可能な構成にするなど、他の構成を採用することができる。
【００３４】
図１０は、本発明の第６実施例の脚立の正面図である。この実施例では、脚立１００を構成する２本の梯子体１１０，１１０のうち、一方の梯子体に３本の踏み板２３１，２３２，１２３を設けているが、踏み板２３２は踏み板１２３より長く、踏み板２３１は踏み板２３２より長くなっている。そして、踏み板２３１，２３２の一方と結合する脚柱１１２には、長孔２３１ａ，２３２ａがあり、この長孔に、踏み板２３１，２３２に立設されたピン１２５がスライド自在に嵌合している。
【００３５】
脚立として使用する場合は、踏み板２３１，２３２のピン１２５は、長孔２３１ａ，２３２ａの下端にあり、脚柱１１１，１１２は、図９の実施例と同じように下方が開いた状態になり、脚立１００が安定したものとなる。折り畳む場合は、長孔２３１ａ，２３２ａによって、踏み板２３１，２３２，１２３の長さの差を吸収して折り畳むことができることになる。
【００３６】
なお、図９、図１０の実施例では、筋交、回転ストッパ、昇降部材、ロック部材等を記載していないが、脚立の安定のために、これらを使用できることは言うまでもない。
【００３７】
図１１は、回転ストッパ１２６の図である。回転ストッパ１２６は、棒状の部材からなり、一端が踏み板１２３の中間に回動自在に軸支されている。回転ストッパ１２６の他端はスライドブロック１２７に回動自在に結合されている。スライドブロック１２７は、脚柱１１１に形成されたスライド溝１２８内を昇降可能である。脚立が折り畳まれた状態では、踏み板１２３は図１１の仮想線に示す位置にあるが、踏み板１２３を実線に示す位置に回動して脚立を使用する状態にすると、回転ストッパ１２６は仮想線の位置から実線の位置に自動的に移動し、スライドブロック１２７は、スライド溝１２８の底部１２８ａに着いてそれ以上の下降ができない状態となる。この状態の回転ストッパ１２６は、筋交となり、踏み板１２３のそれ以上の回動を阻止することになる。この回転ストッパ１２６は、長穴を使用せず、また、スライド溝１２８とスライドブロック１２７とのガタツキや回転ストッパ１２６の両端の回動軸のガタツキを小さくすることができるので、全体として殆どガタツキのない回転ストッパとすることができる。
【００３８】
このような回転ストッパ１２６や筋交１４０，１４１，１４２は、実施例に示す一番上の踏み板１２３に限定されるものではなく、下の踏み板１２１，１２２のいずれかにあればよい。また、１つの回転ストッパ１２６と１つの筋交１４０，１４１，１４２とが脚立のどこか１箇所にあればよい。
【図面の簡単な説明】
【００３９】
【図１】本発明の脚立の第１実施例の斜視図である。
【図２】本発明の脚立を折り畳んだ状態を示す図で、（ａ）は正面図、（ｂ）は側面図である。
【図３】筋交とその周辺部分を示す図で、筋交を固定した状態を示す図である。
【図４】筋交とその周辺部分を示す図で、筋交が回動自在な状態にある図である。
【図５】本発明における第２実施例の筋交とその周辺を示す図である。
【図６】ストッパの構成例を示す縦断面図である。
【図７】本発明における第３実施例の筋交とその周辺を示す図である。
【図８】本発明における第４実施例の筋交とその周辺を示す図である。
【図９】本発明の第５実施例の脚立の正面図である。
【図１０】本発明の第６実施例の脚立の正面図である。
【図１１】本発明の回転ストッパの構成を示す図である。
【符号の説明】
【００４０】
１００      脚立
１１０      梯子体
１１１，１１２      脚柱
１２１，１２２，１２３      踏み板
１４０，１４１，１４２      筋交
１５０，１６０，２５０      昇降部材
１５３，１６３      ナット（ロック部材）
２２１ａ，２２２ａ      長孔
２５２      ワイヤー
２５３      ストッパ
【図１】
2008063917.tif 000003
【図２】
2008063917.tif 000004
【図３】
2008063917.tif 000005
【図４】
2008063917.tif 000006
【図５】
2008063917.tif 000007
【図６】
2008063917.tif 000008
【図７】
2008063917.tif 000009
【図８】
2008063917.tif 000010
【図９】
2008063917.tif 000011
【図１０】
2008063917.tif 000012
【図１１】
2008063917.tif 000013